(57)【要約】【目的】  消音演奏に適した電気・電子擦弦楽器で、演奏者のボーイングの仕方によって音色が変化し、且つ柔らかくふくよかな音色が得られるようにする。【構成】  共鳴胴の無い厚肉材からなるボディ１０上に弦１３が張られ、その弦１３とボディ１０との間に駒２０を挟持し、その弦１３の振動を駒２０に埋設されたセンサ２５によって検出して電気信号を出力する。そのボディ１０の駒２０を装着する部位の近傍を他の部位より肉厚が薄い薄肉部１０１とした。さらに、その薄肉部１０１の裏面側に、その薄肉部１０１の揺動の支点となる支柱部材１０２と、薄肉部１０１の揺動をボディ１０全体に伝達するための補強部材であるブレース１０３とを設けた。【選択図】        図１
2005266377.tif 000002
【特許請求の範囲】
【請求項１】
共鳴胴の無い厚肉材からなるボディと、該ボディ上に張られた弦と、該弦と前記ボディとの間に挟持される駒と、前記弦の振動を検出して電気信号を出力するセンサとを備えた擦弦楽器であって、
前記ボディの前記駒を装着する部位の近傍が他の部位より肉厚の薄い薄肉部となっていることを特徴とする擦弦楽器。
【請求項２】
請求項１記載の擦弦楽器において、前記ボディの前記薄肉部の裏面側に、該薄肉部の揺動の支点となる支柱部材を設けたことを特徴とする擦弦楽器。
【請求項３】
前記支柱部材が前記ボディに一体に形成されている請求項２記載の擦弦楽器。
【請求項４】
請求項１乃至３のいずれか一項に記載の擦弦楽器において、前記ボディの前記薄肉部の裏面側に、該薄肉部の揺動を前記ボディ全体に伝達するための補強部材を設けたことを特徴とする擦弦楽器。
【請求項５】
前記補強部材が前記ボディに一体に形成されている請求項４記載の擦弦楽器。
【請求項６】
前記センサが前記駒に埋設されている請求項１乃至５のいずれか一項に記載の擦弦楽器。
【請求項７】
前記センサが曲げセンサである請求項1乃至６のいずれか一項に記載の擦弦楽器。
【発明の詳細な説明】
【技術分野】
【０００１】
この発明は、自然擦弦楽器であるバイオリン、ビオラ、チェロ、コントラバス等による演奏音と同様な楽音を、弦の振動を検出するセンサから出力される電気信号に基づいて発生する擦弦楽器、すなわち電気擦弦楽器および電子擦弦楽器に関する。
【背景技術】
【０００２】
電気擦弦楽器は、弓による擦弦操作（ボーイング）時の弦の振動を、ピックアップ（センサ）で検出して電気信号に変換し、その電気信号を増幅してフィルタ処理などを施して楽音信号とし、それをスピーカで電気・音響変換して自然擦弦楽器と同様な楽音を放音する。
一方、電子擦弦楽器は、電気擦弦楽器と同様に、擦弦操作による弦の振動をピックアップで検出して電気信号に変換するが、その電気信号から楽音のピッチや振幅などのデータを作成し、そのデータを電子音源に入力することにより、例えばＲＯＭに記憶されたＰＣＭ符号化された楽音データを読み出してＤ／Ａ変換して楽音信号を生成し、その楽音信号をスピーカで電気・音響変換して自然擦弦楽器と同様な楽音を放音する。
【０００３】
このような電気擦弦楽器及び電子擦弦楽器（以下「電気・電子擦弦楽器」という）は、スピーカの代りにヘッドホンで楽音を聴きながら演奏練習を行なったり、演奏による楽音信号を録音テープや記録ディスクなどの記録媒体に記録したりすることができる。
したがって、このような擦弦楽器によれば、外部に演奏音を放音しない消音演奏をすることができる。その場合も、弦を弓で擦ることによる摺接音や弦の振動音自体は消音できないが、弦の振動が伝わる楽器本体からの放射音はできる限り抑える必要がある。
【０００４】
そのため、従来の消音演奏に適した電気・電子擦弦楽器の楽器本体（ボディ）は、共鳴胴のない厚肉の木材等による中実のソリッド構造になっていた。
しかし、このようなソリッド構造のボディを使用すると楽器全体が重くなるため演奏性に問題が生じ、特にバイオリンのように手で持って演奏する楽器には適さなかった。
そこで、特許文献１に見られるように、電気・電子擦弦楽器の楽器本体を、木材単板を複数層に積層し、その各層間の少なくとも一ヶ所に粘着層を介在させた集成構造にすることによって、重量を軽減しながら充分な消音効果が得られるようにすることが提案されている。
【特許文献１】特許第３２２５８５６号公報
【発明の開示】
【発明が解決しようとする課題】
【０００５】
バイオリン等の自然擦弦楽器では、演奏者のボーイングに応じて弦が振動するとともに駒が若干揺動するため、ボーイングの仕方によって音色が変化する。しかしながら、上述したようなソリッド構造あるいは積層集成構造の楽器本体（ボディ）を使用した電気・電子擦弦楽器では駒が揺動しないため、ボーイングの振る舞いによる音色変化が少ない。また、音色自体も硬めでふくよかさが足りないという問題があった。
この発明は、このような背景に鑑みてなされたものであり、消音演奏に適した電気・電子擦弦楽器でありながら、演奏者のボーイングの振る舞いに応じて音色が変化し、且つ柔らかくふくよかな音色が得られるようにすることを目的とする。
【課題を解決するための手段】
【０００６】
この発明による擦弦楽器は、共鳴胴の無い厚肉材からなるボディと、そのボディ上に張られた弦と、その弦とボディとの間に挟持される駒と、弦の振動を検出して電気信号を出力するセンサとを備えた擦弦楽器であって、上記の目的を達成するため、上記ボディの駒を装着する部位の近傍を他の部位より肉厚が薄い薄肉部としたものである。
【０００７】
この擦弦楽器においてさらに、上記ボディの薄肉部の裏面側に、該薄肉部の揺動の支点となる支柱部材を設けるとよい。
また、上記ボディの薄肉部の裏面側に、該薄肉部の揺動を上記ボディ全体に伝達するための補強部材（ブレース）設けてもよい。
その支柱部材と補強部材の一方あるいは両方を、上記ボディに一体に形成することができる。
また、上記センサを駒に埋設すれば、演奏に応じた微妙な弦振動を正確に検出することができる。そのセンサとしては、バイモルフ型又はモノモルフ型圧電素子などの曲げセンサを用いるとよい。
【発明の効果】
【０００８】
この発明による擦弦楽器は、消音効果が充分に得られるソリッド構造のボディを備えた電気・電子擦弦楽器でありながら、演奏者のボーイングの振る舞いに応じてボディの薄肉部が駒とともに若干揺動するため、演奏表現を反映した音色変化が生じる。また、ボディの駒を介して弦振動が伝達される部位が薄肉部で、厚肉のものと比較して振動伝達ロスが大きいため、柔らかくふくよかな音色となる。
【発明を実施するための最良の形態】
【０００９】
以下、この発明を実施するための最良の形態を図面に基づいて具体的に説明する。
〔基本的な実施例〕
まず、この発明による擦弦楽器の基本的な実施例を図１乃至図３によって説明する。図１はその擦弦楽器のボディの駒装着部付近の縦断面図（図２のＡ−Ａ線に沿う断面図）、図２は同じくその横断面図（図１のＢ−Ｂ線に沿う断面図）である。
【００１０】
この擦弦楽器１は消音（サイレント）型の電気擦弦楽器と電子擦弦楽器に兼用できるものである。その楽器本体であるボディ１０は、図１及び図２には駒装着部付近しか図示していないが、基本的には共鳴胴の無い厚肉材である中実の木材からなり、弦１３を張る方向に細長い形状をなしている。そして、このボディ１０の図１における左側の端部には、図示しない指板を支持するとともに先端部にペグボックスを備えたネックが固着され、図１における右側の端部には図示しないテールピースが装着されている。
そのペグボックスには４個の糸巻が設けられており、その各糸巻とテールピースとの間に４本の弦１３が張られ、指板とテールピースとが対向する部分の中間において、弦１３とボディ１０の上面１０ａとの間に図示のように駒２０が挟持されて装着され、各弦１３に張力を与えている。
【００１１】
その駒２０は、楓等の薄板材で作られており、弦１３を係止する上縁が円弧状に形成され、中間部には複数の切欠部と切抜部が設けられている。そして、テールピース側から見た図２において、左側が低音側、右側が高音側であり一対の脚部２２が設けられている。４本の弦１３は、バイオリンに合わせると左側からＧ線，Ｄ線，Ａ線，Ｅ線であり、Ｇ線が一番太く、Ｅ線が一番細い。
駒２０内には、弦１３が弓で擦られたときの振動を検出して電気信号をリード線１６に出力する一対のセンサ２５が埋設されている。このセンサ２５としては、バイモルフ型又はモノモルフ型圧電素子などの曲げセンサが適している。この駒の詳細については図３によって後述する。
【００１２】
ボディ１０は、図１及び図２に示すように、駒２０を装着する部位の近傍の厚肉材を裏面１ｂ側から彫り込んで凹陥部１０４を形成し、その部分を他の部位より肉厚が薄い薄肉部１０１としている点に特徴がある。この実施例ではさらに、その薄肉部１０１の裏面側に、薄肉部１０１の揺動の支点となる支柱部材１０２を、保持板１０５との間に挟持させて設けている。その保持板１０５は、ボディ１０の裏面に長手方向に沿って凹陥部１０４を跨いでブリッジ状に固着されている。
【００１３】
この支柱部材１０２は、自然楽器のバイオリンなどに設けられている魂柱に相当し、ボディ１０の長手方向においては図１に示すように駒２０の搭載位置より幾分テールピース側にずれた位置に、ボディ１０の幅方向においては図２に示すように中央より高音側にずれた位置に設けるのが望ましい。
この薄肉部１０１の裏面側にはさらに、図２に示すように、幅方向の中央より低音側にずれた位置に長手方向にリブ状に延びる補強部材であるブレース１０３を固着して設けている。このブレース１０３は、薄肉部１０１の揺動をボディ１０の全体に伝達させるように設けている。
【００１４】
これらの支柱部材１０２とブレース１０３は、設けた方が望ましいが、この発明に必須のものではない。また、その支柱部材１０２とブレース１０３を、ボディ１０に一体に形成することもできる。
このボディ１０の薄肉部１０１を形成した部分の両側部１０６には、上面から薄肉部１０１の厚さだけ下のところに長手方向に沿ってスリット（細長い孔）１０７が形成されている。
【００１５】
この擦弦楽器１が演奏されると、図２に矢示Ｑ，Ｒで示すボーイング方向と平行な方向に駒２０が揺動する。ボディ１０の薄肉部１０１はこの駒２０の揺動による力を受けて支柱部材１０２を回動軸として揺動する。その揺動は、弦１３の張設方向に直交する方向（矢示Ｑ，Ｒで示す方向に平行な方向）と若干ながら弦１３の張設方向に平行な方向にも生じる。
このような薄肉部１０１の揺動は、ボーイングによる演奏表現を反映した動きに対しており、その揺動運動の変化に応じて、駒２０に埋設されたセンサ２５によって出力される電気信号が微妙に変化し、その信号に基づいて発生される楽音に音色変化を生み出す。また、ボディ１０の駒２０を介して弦振動が伝達される部位が薄肉部１０１であり、厚肉のものと比較して振動伝達ロスが大きいため、柔らかくふくよかな音色となる。
【００１６】
〔駒の具体例〕
次に、駒２０の具体例について図３によって説明する。
図３は図１及び図２に示した駒２０をテールピース側から見た正面図である。この駒２０は、一般のバイオリンに搭載される駒と同様に、楓材が加工された板状の本体部２１及び前述したボディ１０の薄肉部１０１の表面に当接する一対の脚部２２とを備えている。
【００１７】
その本体部２１には、通常のバイオリンの駒と同様に、一対の切欠部２２０ａ、２２０ｂと１つの切抜部２２０ｃが形成されている。すなわち、一対の切欠部２２０ａ、２２０ｂは、本体部２１の板面２１Ｓの左右両側から中心線Ｏ−Ｏ′の方向に細く切込んだ後、上方の外側方向へそれぞれ方向を転換して大きく切り欠いたレバー（肝臓）形に形成されている。また、切抜部２２０ｃは、板面２１Ｓの中央部に中心線Ｏ−Ｏ′に対称な一対の円形の切抜きの下部を互いに連結したハート形の切抜部である。ここで、中心線Ｏ−Ｏ′は、本体部２１の弦配列方向（図３で左右方向）における略中央を通り、薄肉部１０１の表面に対して略垂直な線である。
【００１８】
また、一対の脚部２２にも、それぞれ左右両側からＵ字状に切欠いた切欠部２２０ｄ，２２０ｅと２２０ｆ，２２０ｇが形成されている。
本体部２１の上縁２１Ｕは円弧状に形成され、そこに４本の弦１３を一定の間隔を置いて係止する。
そして、演奏者が通常のバイオリンの弓と同じもので矢示Ｑ，Ｒ方向にボーイングすると、それによって擦られた弦１３が同方向に振動し、駒２０の本体部２１も矢示Q，Ｒ方向に曲げ力を受けて揺動するとともに、脚部２２を経てその弦振動をボディ１０の薄肉部１０１に伝達する。
【００１９】
その際、互いに隣接する切欠部２２０ａと切抜部２２０ｃとの間、切欠部２２０ｂと切抜部２２０ｃとの間、切欠部２２０ａと２２０ｅの間、切欠部２２０ｄと２２０ｅとの間、切欠部２２０ｂと２２０ｇとの間、および切欠部２２０ｆと２２０ｇとの間の各部によって、各弦１３から薄肉部１０１への弦振動伝播経路（破線矢印で示す）が形成される。
【００２０】
さらに、この駒２０の本体部２１には、その板面２１Ｓに中心線Ｏ−Ｏ′に対して対称な三叉状の溝２３０が形成されている。この溝２３０は、本体部２１の下縁２１Ｄから中心線Ｏ−Ｏ′に沿って上方に延びる主溝２３０ａとその上端部から分岐して互いに離間するように斜め上方に延びる2本の枝溝２３０ｂ，２３０ｃとからなる。
その枝溝２３０ｂは、切欠部２２０ａと切欠部２２０ｃとの間の中央部の弦振動伝播経路に沿って延び、枝溝２３０ｃは、切欠部２２０ｂと切抜部２２０ｃとの間の中央部の弦振動伝播経路に沿って延びている。
【００２１】
この枝溝２３０ｂ，２３０ｃ内には、それぞれ弦１３の振動を検出するセンサ（この例ではバイモルフ型圧電素子による曲げセンサ）２５が合成樹脂製のホルダ２４に支持されて収容されている。その各センサ２５と枝溝２３０ｂ，２３０ｃの内壁面とは離間しており、その隙間には油土等の塑性材料２６が充填されている。この塑性材料２６は、枝溝２３０ｂ，２３０ｃの内壁面の変形をセンサ２５に伝達する役割を果たす。
【００２２】
本体部２１の板面２１Ｓには図３に仮想線で示す範囲に、三叉状の溝２３０が形成された部分を覆うブリッジカバー２７が貼り付けられるが、図３ではこのブリッジカバー２７を貼り付ける前の状態を示している。
一対のセンサ２５は、互いに同極性の面同士を並列接続するか、あるいは直列に接続して、擦弦時に本体部２１が矢示Ｑ，Ｒ方向に揺動変位したときに、枝溝２３０ｂ，２３０ｃの内壁面が矢示Ｐ方向に変位することによってその圧電素子（ピエゾ素子）に発生する起電力が、互いに重畳して電気信号としてリード線１６に出力されるようにする。
【００２３】
このセンサ２５によって出力される電気信号をサウンドユニットに入力させて増幅し、各種の処理を施して、スピーカあるいはヘッドホンで電気・音響変換して楽音を発生させるようにすれば電気擦弦楽器となる。また、その電気信号から楽音のピッチや振幅などのデータを作成し、そのデータを電子音源に入力して楽音信号を生成し、その楽音信号をスピーカあるいはヘッドホンで電気・音響変換して楽音を発生させるようにすれば電子擦弦楽器となる。
【００２４】
なお、駒に形成する切欠部はレバー形又はＵ字形に限るものではないし、切抜部もハート形に限るものではなく、任意の形状および大きさのものに変更することもできる。また、その数も上述した例のように、本体部に３個、脚部に４個に限るものではなく、適宜の個数だけ所要な位置に設けることができる。
振動を検出するセンサは、バイモルフ型圧電素子による曲げセンサに限らず、モノモルフ型圧電素子による曲げセンサや、歪に応じて抵抗値が変化する歪ケージなど、弦振動による本体部の変形を検出することが可能なセンサであればよい。
【００２５】
〔具体的な実施例〕
次に、この発明による擦弦楽器のより具体的な実施例を図４乃至図１１によって説明する。図４はその擦弦楽器の具体的実施例を平面図、図５はその擦弦楽器をサウンドシステムおよびスピーカと共に示す側面図である。これらの図において、前述した図１及び図２と対応する部分には同一の符号を付している。
【００２６】
この擦弦楽器２は、消音（サイレント）型の電気バイオリンと電子バイオリンに兼用できるものである。その楽器本体であるボディ１０は、前述の実施例と同様に基本的には共鳴胴の無い厚肉材である中実の木材からなり、弦１３を張る方向に細長い形状をなしている。そして、駒２０を装着する部分の幅が最も広く、両端部方向に幅がやや狭くなる。
このボディ１０の駒装着部の裏面は支持金具３１によって胴部３に固着支持されている。その胴部３はバイオリンの共鳴胴の輪郭の一部と顎当て装着部を模した形状に形成されているが、共鳴胴にはなっていない。４は顎当てであり、胴部３の顎当て装着部に着脱可能に取り付けられる。
【００２７】
ボディ１０の図４及び図５において左側に延びた端部には、指板１４を支持すると共に先端部にペグボックス１１ａを備えたネック１１が連結金具３２によって固着され、右側に延びた部分にはテールピース１５が装着されている。その右側に延びた部分の端部も胴部３に固着されている。
ネック１１の先端部のペグボックス１１ａには４個の糸巻１２が設けられており、その各糸巻１２とテールピース１５との間に、スチールあるいはガットなどによる４本の弦１３が張られ、指板１４とテールピース１５とが対向する部分の中間において、各弦１３とボディ１０の上面１０ａとの間に図示のように駒２０が挟持されて装着され、各弦１３に張力を与えている。
【００２８】
このボディ１０の駒２０を装着する部位の近傍は、前述の実施例と同様に他の部位より肉厚の薄い薄肉部１０１となっている。そして、ボディ１０の両側部１０６におけるその薄肉部１０１に対応する部分の下側に長手方向に延びるスリット（細長い孔）１０７を形成している。この点も前述の実施例と同様である。なお、このボディ１０の詳細については後述する。
駒２０は、図３によって説明した駒を使用することができる。すなわち、内部に弦１３の振動を検出する一対のセンサ（前述の例ではバイモルフ型圧電素子による曲げセンサ）が埋設されており、そのリード線１６に電気信号を出力する。そのリード線１６は、テールピース１５の裏面に沿って胴部３に導かれ、図５に示すように胴部３の後部側面に設けたジャック１７に接続される。
【００２９】
図５に示す６はサウンドユニットで、ジャック１７に挿着可能なプラグ１８を先端に備えた信号線（インタフェースケーブル）５を設けている。７はこのサウンドユニット６に接続されるスピーカである。このスピーカ７に変えてヘッドホンを接続してもよい。
電気バイオリンを構成する場合は、このサウンドユニット６が入力信号を増幅し、各種処理を施して楽音信号を生成して、スピーカ７又はヘッドホンに出力する装置である。
【００３０】
電子バイオリンを構成する場合は、このサウンドユニット６が、例えばＰＣＭ符号化されたバイオリンの楽音データを記憶したＲＯＭと、そのデータを読み出す回路と、読み出したＰＣＭデータをアナログの楽音信号に変換するＤ／Ａコンバータ等から構成された音源装置と、その楽音信号を増幅するアンプ等からなる装置である。そして、入力信号から楽音のピッチや振幅などのデータを作成し、そのデータを電子音源に入力することによって楽音信号を生成し、その楽音信号を増幅してスピーカ７あるいはヘッドホンに出力する。
【００３１】
そこで、信号線５のプラグを擦弦楽器２のジャック１７に挿着して、演奏者がこの擦弦楽器２を演奏すると、ボーイングによって弦が振動し、その振動を駒２０内のセンサが検出して電気信号を出力し、その電気信号に基づいてサウンドユニット６が楽音信号を生成し、スピーカ７あるいは図示していないヘッドホンによって電気・音響変換してバイオリンの演奏音を放音することができる。
【００３２】
次に、この擦弦楽器２のボディ１０の構造の詳細を図６乃至図１０によって説明する。
図６は図４及び図５におけるボディの平面図（Ａ）とその要部を断面にして示す側面図（Ｂ）であり、図７はその底面図である。図８、図９、及び図１０は、それぞれ図６（Ａ）のＣ−Ｃ線、Ｄ−Ｄ線、及びＥ−Ｅ線に沿う拡大断面図である。
これらの図において、図１、図２、図４、及び図５と対応する部分には同一の符号を付してある。なお、図６及び図７において、上側がネック側であり、下側がテールピース側である。
【００３３】
このボディ１０も、前述のように駒を装着する部位の近傍の厚肉材を裏面１０ｂ側から彫り込んで凹陥部１０４を形成し、その部分を他の部位より肉厚が薄い薄肉部１０１としている。また、前述したように、ボディ１０の両側部１０６におけるその薄肉部１０１に対応する部分の下側に長手方向に延びるスリット（細長い孔）１０７を形成している。
さらに、薄肉部１０１の裏面側に、この実施例では薄肉部１０１の揺動の支点となる支柱部１０ｃをボディ１０に一体に形成している。
【００３４】
すなわち図９に明示するように、ボディ１０の薄肉部１０１を形成した凹陥部１０４の内側に、支柱部１０ｃとなる部分を一方の側部１０６の内面から突出するように彫り残し、スリット１０７のその残した部分に当たる箇所を支柱部１０ｃの手前１０ｅまで深く彫り込んで、支柱部１０ｃを形成する。
また、この支柱部１０ｃは、前述した基本的実施例における支柱部材１０２と同様に、自然楽器のバイオリンに設けられている魂柱に相当し、ボディ１０の長手方向においては駒の搭載位置より幾分テールピース側にずれた位置に、ボディ１０幅方向においてはその中央より高音側（図９では右側）にずれた位置に設けている。
【００３５】
この薄肉部１０１の裏面側にはさらに、図６〜図９に示すように、幅方向の中央より低音側（図９では左側）にずれた位置に、長手方向にリブ状に延びる補強部であるブレース部１０ｄを一体に設けている。このブレース部１０ｄも、図９に明示するように、薄肉部１０１の内面から裏面１０ｂまで突出するように、凹陥部１０４内に彫り残して形成しており、薄肉部１０１の揺動をボディ１０の全体に伝達させるように設けている。
このボディ１０の薄肉部１０１に続くテールピース側には、ベース形の浅い凹陥部１０８が形成されており、図５に示した支持金具３１が嵌合する。図１０に示す小穴１０９は、支持金具３１の位置決め穴である。図６の（Ａ）に示す１１０は、図５に示した胴部３への取付孔、１１１は図５に示したネック１１への取付孔である。
【００３６】
この擦弦楽器２によっても、ボディ１０の駒２０を装着する部位の近傍が他の部位より肉厚が薄い薄肉部１０１になっているので、演奏時の駒２０の揺動によってその薄肉部１０１も揺動し、それによって駒２０に埋設されたセンサ２５によって出力される電気信号が微妙に変化し、その信号に基づいて発生される楽音に音色変化が生じる。また、薄肉部１０１は厚肉部に比べて振動伝達ロスが大きいため、柔らかくふくよかな音色となる。
そして、この実施例でも薄肉部１０１の回動支点となる支柱部１０ｃを設けているので、薄肉部１０１が駒２０の揺動に応じて揺動し易い。
【００３７】
さらに、その揺動変位がブレース部１０ｄによってボディ１０全体に伝達されるため、中低音の力強さが増し、音像が明確になる効果がある。ブレース部１０ｄがないと、薄肉ブ１０１の駒２０の近傍のみが大きく変形し、薄肉ブ１０１の全体が振動せず、中低音に力強さが出てこない。ブレース部１０ｄがあると、薄肉部１０１の全体が振動して音に芯が出てくる。
しかも、これらの支柱部１０ｃとブレース部１０ｄとが薄肉部１０１の裏面側に一体に形成されているので、部品点数が増加せず、安価に作製することができる。
【００３８】
上述した実施例は、この発明を電気・電子バイオリンに適用した場合について説明したが、この発明はこれに限るものではなく、ビオラ、チェロ、コントラバス等に対応する各種の消音型の電気・電子擦弦楽器にも同様に適用できる。その場合、そのボディや駒の材質、サイズ及び形状等をそれらの擦弦楽器に応じて適宜変更すればよい。また、弦の振動を検出するセンサを駒に埋設することはこの発明に不可欠のことではなく、駒の外部にセンサを取り付けたり、駒とボディとの間にセンサを挟み込むようにしてもよい。
【産業上の利用可能性】
【００３９】
この発明は、バイオリン、ビオラ、チェロ、コントラバス等の練習用などに使用する各種の消音（サイレント）型の電気・電子擦弦楽器を製造あるいは改造したり、それらの擦弦楽器を用いた演奏システムを構成する各種産業に利用できる。そして、擦弦楽器の練習用に限らず、演奏用としても表現力豊かな演奏を実現することができるので、演奏形態を多様化でき、他の電気楽器や電子楽器などの大音量が出る楽器と合奏することも容易になる。しかも、演奏者の意図を微妙に表現した精緻な演奏が可能になる。
【図面の簡単な説明】
【００４０】
【図１】この発明による擦弦楽器の基本的実施例におけるボディの駒装着部付近の縦断面図（図２のＡ−Ａ線に沿う断面図）である。
【図２】同じくその横断面図（図１のＢ−Ｂ線に沿う断面図）である。
【図３】図１及び図２における駒の具体例を示す正面図である。
【図４】この発明による擦弦楽器の具体的実施例を示す平面図である。
【図５】同じくその擦弦楽器をサウンドシステムおよびスピーカと共に示す側面図である。
【００４１】
【図６】図４及び図５におけるボディの平面図（Ａ）とその要部を断面にして示す側面図（Ｂ）である。
【図７】同じくボディの底面図である。
【図８】図６（Ａ）のＣ−Ｃ線に沿う拡大断面図である。
【図９】図６（Ａ）のＤ−Ｄ線に沿う拡大断面図である。
【図１０】図６（Ａ）のＥ−Ｅ線に沿う拡大断面図である。
【符号の説明】
【００４２】
１，２…擦弦楽器、３…胴部、４…顎当て、５…信号線(インタフェースケーブル)、６…サウンドユニット、７：スピーカ、１０…ボディ、１０ａ…ボディの表面、１０ｂ…ボディの裏面、１０ｃ…支柱部、１０ｄ…ブレース部（補強部材）、１１…ネック、１１ａ…ペグボックス、１２…糸巻、１３…弦、１４…指板、１５…テールピース、１６…リード線、１７…ジャック、１８…プラグ、２０…駒、２１…本体部、２２…脚部、２４…ホルダ、２５…センサ、２６…塑性材料（油土）、２７…ブリッジカバー、３１…支持金具、３２…連結金具、１０１…薄肉部、１０２…支柱部材、１０３…ブレース（補強部材）、１０４…凹陥部、１０５…保持板、１０６…側部、１０７…スリット、２２０ａ，２２０ｂ…切欠部、２２０ｃ…切抜部、２３０…溝、２３０ａ…主溝、２３０ｂ，２３０ｃ…枝溝、２２０ｄ〜２２０ｇ…切欠部
【図１】
2005266377.tif 000003
【図２】
2005266377.tif 000004
【図３】
2005266377.tif 000005
【図４】
2005266377.tif 000006
【図５】
2005266377.tif 000007
【図６】
2005266377.tif 000008
【図７】
2005266377.tif 000009
【図８】
2005266377.tif 000010
【図９】
2005266377.tif 000011
【図１０】
2005266377.tif 000012